(57)【要約】  浮動型加湿器を提供し、より具体的には、浮動型加湿器が浮動状態で液滴または蒸気を放出するように、中空型浮動ユニットを使用して水上に浮動しているうちに、外部の水源を使用することによって、室内領域を加湿化することができる浮動型加湿器を提供する。浮動型加湿器は、浮動本体であって、浮動本体が水タンク内で浮動するように、外側から水が導入される中空状水流入孔を下部に有する、浮動本体と；水タンクから導入される水を水粒子や蒸気に変化させるように浮動本体の水流入孔内に挿入される超音波振動器と；超音波振動器によって発生する水粒子や蒸気を外側にガイドするように浮動本体の水流入孔の上端部に結合され、側面にガイド孔を有するパイプ形態で形成されるガイド部と；水粒子や蒸気をガイド部からガイド孔にガイドするように、且つ水粒子や蒸気を外側に放出するように、ガイド孔の下側の浮動本体上に設置される放出ユニットとを備える。【選択図】図５
2016522383.tif 000002
【特許請求の範囲】
【請求項１】
浮動型加湿器において、
浮動本体であって、前記浮動本体が水タンク内で浮動するように、外側から水が導入される中空状水流入孔を下部に有する、前記浮動本体と；
前記水タンクから導入される水を水粒子や蒸気に変化させるように、前記浮動本体の前記水流入孔内に挿入される超音波振動器と；
前記超音波振動器によって発生する前記水粒子や蒸気を前記外側にガイドするように、前記浮動本体の水流入孔の上端部に結合され、側面にガイド孔を有するパイプ形態で形成されるガイド部と；
前記水粒子や蒸気を前記ガイド部から前記ガイド孔にガイドするように、且つ前記水粒子や蒸気を前記外側に放出するように、前記ガイド孔の下側の前記浮動本体上に設置される放出ユニットと；を備える浮動型加湿器。
【請求項２】
前記浮動本体は、前記ガイド部を収容するように前記浮動本体の上部に結合され、外部空気をガイドするための複数の空気流入孔を外部に含むケースをさらに備えることを特徴とする請求項１に記載の浮動型加湿器。
【請求項３】
前記ケースは、前記ケースの上端部に結合され、前記ガイド部を介して放出される前記水粒子や蒸気の蒸発量と蒸発方向を制御するための蒸発孔を含むキャップをさらに備えることを特徴とする請求項２に記載の浮動型加湿器。
【請求項４】
１つ以上の蒸発孔が前記キャップのチップ部（ｔｉｐ  ｐｏｒｔｉｏｎ）または側面に形成されることを特徴とする請求項３に記載の浮動型加湿器。
【請求項５】
前記ケースは、前記ガイド部を介して蒸発される前記水粒子や蒸気を照明するための発光ダイオードＬＥＤを外面に含むことを特徴とする請求項３に記載の浮動型加湿器。
【請求項６】
前記放出ユニットは、換気ファン及びエアポンプのうち１つを含むことを特徴とする請求項１に記載の浮動型加湿器。
【請求項７】
電力が、電力ラインまたは充電池を介して前記超音波振動器に供給されることを特徴とする請求項１に記載の浮動型加湿器。
【請求項８】
電力が前記超音波振動器に無線供給されることを特徴とする請求項１に記載の浮動型加湿器。
【請求項９】
前記超音波振動器は、前記水タンクの底部（ｂｏｔｔｏｍ）の下側に設置される無線充電パッドから、または前記水タンクの外側から無線供給される電力によって駆動することを特徴とする請求項８に記載の浮動型加湿器。
【請求項１０】
前記超音波振動器は、前記ガイド部の上部を介して発光するように上面にＬＥＤを含むことを特徴とする請求項１に記載の浮動型加湿器。
【請求項１１】
前記ガイド部は、前記ガイド孔に向けて前記放出ユニットを介して供給される空気を収集するように、前記ガイド孔の上部から前記外側に突出する遮蔽部をさらに含むことを特徴とする請求項１に記載の浮動型加湿器。
【請求項１２】
前記浮動本体は、前記超音波振動器によって発生し、前記外側に放出されず、前記ガイド部及び前記ケース上に液滴として形成される前記水粒子や蒸気が、前記水流入孔に向けて前記ケースの内面及び前記ガイド部の外面に沿って流れるか、または前記浮動本体と前記ケースとの間の結合部を介して導入される水が、前記水流入孔に排水されるように、前記浮動本体の上面に形成される傾斜部をさらに含むことを特徴とする請求項１に記載の浮動型加湿器。
【請求項１３】
前記超音波振動器及び前記放出ユニットは、前記超音波振動器の周波数と前記放出ユニットの放出強度を調節するように、前記超音波振動器及び前記放出ユニットに供給される電力を制御するための制御ユニットをさらに含むことを特徴とする請求項１に記載の浮動型加湿器。
【発明の詳細な説明】
【技術分野】
【０００１】
本発明は、浮動型（ｆｌｏａｔｉｎｇ  ｔｙｐｅ）加湿器に関し、より具体的には、浮動型加湿器が浮動状態で液滴または蒸気を放出するように、中空型（ｈｏｌｌｏｗ）浮動ユニットを使用して水上に浮動しているうちに、外部水源（ｗａｔｅｒ  ｓｏｕｒｃｅ）を使用することによって、室内領域を加湿化することができる浮動型加湿器に関する。
【背景技術】
【０００２】
一般的に、加湿器は、乾燥した室内空間を加湿化する装置である。加湿化プロセスによれば、加湿器は、超音波を利用する超音波加湿器と加熱器を利用する加熱型加湿器とに分類される。
【０００３】
超音波加湿器において、超音波加湿器の本体から脱着可能な水タンク内に貯蔵された水は、水タンクに供給され、その後、水タンク内の水は、水タンク内に設けられている超音波振動器の振動によって微細な液滴に変換される。微細な液滴は、換気ファンの作動によって空気とともに原子状態でスプレイノズルを介して噴射される。
【０００４】
加熱型加湿器において、水タンク内に供給された水は、加熱器によって気化し、その後、前述したように、換気ファンによって原子状態で空気とともにスプレイノズルを介して噴射される。超音波加湿器及び加熱型加湿器は、超音波振動器または加熱器を使用することによって、水タンク内の水から微細な液滴または蒸気を発生させる方式間の差異点を除いて、同様の基本構造を有する。
【０００５】
前述した２つの類型の加湿器には、バクテリア増殖、洗浄困難などの問題点があり、このような問題点に対処するように、メンテナンスが容易な、例えば、洗浄しやすい天然型加湿器が広く使用されてきた。
【０００６】
天然型加湿器のうち、浮動型加湿器は、加湿器洗浄などのメンテナンスが容易なので、広く使用されてきた。浮動型加湿器は、超音波振動器を使用することによって、水タンク内の水を微細な水粒子に変化させ、水タンク内の水上に浮動しているうちに、微細な水粒子を外側に噴射する。浮動型加湿器において、超音波振動器を駆動するための電力は、電池からまたは電線を介して浮動型加湿器に接続された外部電源から供給され得る。
【０００７】
電力が電池から供給される場合、加湿器を長時間使用すれば、電池を頻繁に交替しなければならない。したがって、浮動型加湿器は、一般的に電線を介して電力を超音波振動器に供給する。
【発明の概要】
【発明が解決しようとする課題】
【０００８】
本発明は、中空型浮動ユニットを使用して水上に浮動しているうちに、外部水源を使用することによって、水上での浮動状態で液滴または蒸気を放出し、これによって、室内領域を加湿化できる浮動型加湿器を提供する。
【０００９】
本発明は、超音波振動器に供給される電力及びファンの回転速度を制御し、超音波振動器によって発生する液滴または蒸気の噴射量を調節することによって、効率的な加湿化を行うことができる浮動型加湿器を提供する。
【課題を解決するための手段】
【００１０】
本発明の一様態によれば、浮動型加湿器を提供し、この浮動型加湿器は、浮動本体であって、浮動本体が水タンク内で浮動するように、外側から水が導入される中空状水流入孔を下部に有する、浮動本体と；水タンクから導入される水を水粒子や蒸気に変化させるように、浮動本体の水流入孔内に挿入される超音波振動器と；超音波振動器によって発生する水粒子や蒸気を外側にガイドするように浮動本体の水流入孔の上端部（ｕｐｐｅｒ  ｅｎｄ  ｐｏｒｔｉｏｎ）に結合され、側面にガイド孔を有するパイプ形態で形成されるガイド部と；水粒子や蒸気をガイド部からガイド孔にガイドするように、且つ水粒子や蒸気を外側に放出するように、ガイド孔の下側の浮動本体上に設置される放出ユニットとを備える。
【発明の効果】
【００１１】
本発明の浮動型加湿器によれば、浮動本体は、密封された中空部を有し、よって、浮動型加湿器は、水上に容易に浮動することができる。
【００１２】
また、超音波振動器を使用することによって発生する水粒子や蒸気の噴射量は、超音波振動器に供給される電力及びファンの回転速度を提供することによって調節することができ、これによって、加湿化を効率的に行うことができる。
【００１３】
また、すべての構成要素は、容易に分解及び組立されるように構成され、加湿器を長期間使用する場合、表面上に形成される粘液（ｓｌｉｍｅ）または苔を、加湿器を分解することによって容易に洗浄することができ、これによって、浮動型加湿器を容易にメンテナンスすることができる。
【００１４】
また、超音波振動器またはケース上に発光ダイオード（ＬＥＤ）を設置し、これによって、美学的効果を得ることができ、加湿器をランプとして使用することができる。
【図面の簡単な説明】
【００１５】
図１は、本発明の一実施形態による浮動型加湿器の斜視図である。
【００１６】
図２は、図１の浮動型加湿器の分解斜視図である。
【００１７】
図３は、図１の浮動型加湿器の断面図である。
【００１８】
図４Ａ〜図４Ｃは、図１に示されたキャップの多様な修正例を示す図である。
【００１９】
図５は、本発明の使用状態を示す図である。
【００２０】
図６は、本発明の他の実施形態による浮動型加湿器を示す図である。
【発明を実施するための形態】
【００２１】
本発明の一様態によれば、浮動型加湿器を提供し、この浮動型加湿器は、浮動本体であって、浮動本体が水タンク内で浮動するように、外側から水が導入される中空状水流入孔を下部に有する、浮動本体と；水タンクから導入される水を水粒子や蒸気に変化させるように、浮動本体の水流入孔内に挿入される超音波振動器と；超音波振動器によって発生する水粒子や蒸気を外側にガイドするように、浮動本体の水流入孔の上端部に結合され、側面にガイド孔を有するパイプ形態で形成されるガイド部と；水粒子や蒸気をガイド部からガイド孔にガイドするように、且つ水粒子や蒸気を外側に放出するように、ガイド孔の下側の浮動本体上に設置される放出ユニットとを備える。
【００２２】
好ましくは、浮動本体は、ガイド部を収容するように、浮動本体の上部に結合され、外部空気をガイドするための複数の空気流入孔を外部に含むケースをさらに備えることができる。
【００２３】
好ましくは、ケースは、該ケースの上端部に結合され、ガイド部を介して放出される水粒子や蒸気の蒸発量と蒸発方向を制御するための蒸発孔を含むキャップをさらに備えることができる。
【００２４】
好ましくは、１つ以上の蒸発孔は、キャップのチップ部（ｔｉｐ  ｐｏｒｔｉｏｎ）または側面に形成され得る。
【００２５】
好ましくは、ケースは、ガイド部を介して蒸発される水粒子や蒸気を照明するための発光ダイオード（ＬＥＤ）を外面上に含むことができる。
【００２６】
好ましくは、放出ユニットは、換気ファン及びエアポンプのうち１つを含むことができる。
【００２７】
好ましくは、電力は、電力ラインまたは充電池を介して超音波振動器に供給することができる。
【００２８】
好ましくは、電力は、超音波振動器に無線供給することができる。
【００２９】
好ましくは、超音波振動器は、水タンクの底部（ｂｏｔｔｏｍ）の下側に設置された無線充電パッドからまたは水タンクの外側から無線供給される電力によって駆動することができる。
【００３０】
好ましくは、超音波振動器は、ガイド部の上部を介して発光するように、上面にＬＥＤを含むことができる。
【００３１】
好ましくは、ガイド部は、ガイド孔に向けて放出ユニットを介して供給される空気を収集するように、ガイド孔の上部から外側に突出する遮蔽部をさらに含むことができる。
【００３２】
好ましくは、浮動本体は、超音波振動器によって発生し、外側に放出されず、ガイド部とケース上に液滴として形成される水粒子や蒸気が、水流入孔に向けてケースの内面及びガイド部の外面に沿って流れるか、または、浮動本体とケースとの間の結合部を介して導入される水が、水流入孔に排水（ｄｒａｉｎ）されるように、浮動本体の上面に形成される傾斜部をさらに含むことができる。
【００３３】
好ましくは、超音波振動器及び放出ユニットは、超音波振動器の周波数と放出ユニットの放出強度を調節するように、超音波振動器及び放出ユニットに供給される電力を制御するための制御ユニットをさらに含むことができる。
【００３４】
以下、本発明を、本発明の例示的な実施形態が図示されている添付の図面を参照してさらに完全に説明する。しかし、本発明は、異なる様々な形態で実施することができ、本明細書で説明する例示的な実施形態に限定されるものと解釈してはならない。このような実施形態は、本開示内容が徹底的で且つ完全になるように、且つ通常の技術者に本発明の範囲を完全に伝達するように提供されたものである。図面の構成要素のサイズは、説明の便宜上、誇張されることがある。図面の類似の参照番号は、類似の要素を示す。本発明の説明において、関連技術の詳細な一部の説明は、本発明の本質を不要に曖昧にすることができると見なされる場合には省略されている。
【００３５】
本発明による浮動型加湿器の実施形態を添付の図面を参照して詳しく説明する。
【００３６】
図１は、本発明の一実施形態による浮動型加湿器の斜視図であり、図２は、図１の浮動型加湿器の分解斜視図であり、図３は、図１の浮動型加湿器の断面図であり、図４Ａ〜図４Ｃは、図１に示されたキャップの多様な修正例を示す図であり、図５は、本発明の使用状態を示す図であり、図６は、本発明の他の実施形態による浮動型加湿器を示す図である。
【００３７】
図１〜図６を参照すると、本実施形態による浮動型加湿器は、水が外側から導入される側に中空状水流入孔１１を有する浮動本体１０を含む。より詳細には、浮動本体１０は、容器形態で形成され、水流入孔１１は、浮動本体１０の中心部を貫通して形成される。
【００３８】
また、超音波振動器２０を支持し、後述する超音波振動器２０の外面に当接する複数の突出部は、水流入孔１１の内壁面上に形成され、パッキング１３は、超音波振動器２０からの衝撃を吸収するように、水流入孔１１の下部エッジに結合される。
【００３９】
また、後述する超音波振動器２０によって発生する水粒子や蒸気が加湿器の外側に放出されず、後述するガイド部３０及びケース５０上に形成され得るとしても、水粒子や蒸気がケース５０の内面及びガイド部３０の外面に沿って流れて、水流入孔１１に導入され得るように、浮動本体１０の上面に傾斜部１２が形成されている。
【００４０】
また、傾斜部１２は、前述した機能以外にも、浮動本体１０とケース５０との間の結合部を通過した水を水流入孔１１内に導入することができ、すなわち、傾斜部１２は、水がガイド部３０の外面及びケース５０の内面に沿って流れて、水流入孔１１内に導入されるようにすることができる。
【００４１】
したがって、浮動本体１０は、傾斜部１２が浮動本体の上面に結合された場合、密封され、水上に浮動することができる。
【００４２】
なお、超音波振動器２０は、浮動本体１０の水流入孔１１に挿入され、水タンク１００から導入される水から水粒子や蒸気を発生させるように、追加に設置され得る。超音波振動器２０は、水を高速振動を用いて水粒子や蒸気に変換し、発生した水粒子を外側に放出する。超音波振動器２０は、一般的に使用される超音波加湿器において使用され得るので、これに関する詳細な説明を省略する。
【００４３】
パイプ形態で形成されたガイド部３０は、浮動本体１０の水流入孔１１の上端部に結合される。ガイド部３０は、超音波振動器２０によって発生する水粒子や蒸気を外側にガイドし、ガイド部の側面にガイド孔３１を含む。
【００４４】
また、ガイド部３０は、放出ユニット４０を介して供給される空気が外側に漏出されることを防止するように、ガイド孔３１の上部に「？」形状の断面を有する遮蔽部３２を含み、遮蔽部３２は、ガイド部３０から突出する。
【００４５】
また、放出ユニット４０は、ガイド部３０を介して放出される水粒子や蒸気をガイド孔３１にガイドし、該水粒子や蒸気を外側に放出するように、水流入孔１１の上端部に結合される。図示のように、放出ユニット４０は、換気ファン４１を含む。しかし、放出ユニット４０は、エアポンプを含んでもよい。
【００４６】
また、放出ユニット４０は、水粒子と蒸気を外側に放出するように、ガイド部３０の内部圧力を増加させることができる。
【００４７】
したがって、放出ユニット４０を使用することによって加湿化を充分に行うことができる。
【００４８】
なお、超音波振動器２０及び放出ユニット４０に供給される電力を制御するための制御ユニット８０は、超音波振動器２０及び放出ユニット４０に設けられてもよい。制御ユニット８０は、超音波振動器２０の周波数または放出ユニット４０の放出強度を調節する。
【００４９】
したがって、超音波振動器２０に供給される電力は、換気ファン４１の回転回数または噴射量を調節する制御ユニット８０によって調節することができ、エアポンプからの放出量は、噴射量を調節する制御ユニット８０によって調節することができる。
【００５０】
また、ケース５０は、ガイド部３０を収容するように浮動本体１０の上端部に結合され、外部空気の通路のための複数の空気流入孔５１をケースの外側部に含む。
【００５１】
また、キャップ６０は、ケース５０の上端部に結合され、ガイド部３０を介して放出される水粒子や蒸気の蒸発量と蒸発方向を制御するための蒸発孔６１を含む。蒸発孔６１は、図４Ａ〜図４Ｃに示されたように、多様な方向に形成することができる。図４Ａの蒸発孔６１は、図１に示されたキャップ６０の噴射量より多い噴射量が必要な場合に使用され、図４Ｂの蒸発孔６１は、水粒子と蒸気が一方向にのみ噴射されるときに使用され、図４Ｃのキャップ６０の外側面に形成された複数の蒸発孔６１は、水粒子と蒸気を放射状方向に蒸発させるのに使用される。
【００５２】
すなわち、噴射量は、制御ユニット８０の制御に加えて、キャップ６０を使用することによって、さらに調節することができる。前述したように、蒸発孔６１が大きい場合（図４Ａ参照）、水粒子や蒸気が直線的に（ｓｔｒａｉｇｈｔｆｏｒｗａｒｄ）噴射される。しかし、蒸発孔６１が小さい場合（図２参照）、水粒子や蒸気は噴射され、加湿化された空間の底部に拡散される。蒸発孔６１は、図面において１つの貫通孔（ｔｈｒｏｕｇｈ  ｈｏｌｅ）であることができる。しかし、美学的効果を得るように、２つ以上の蒸発孔６１を形成してもよい（図４Ｃ参照）。
【００５３】
超音波振動器２０は、超音波振動器の表面に、すなわち、超音波振動器の上面に発光ダイオードＬＥＤを有することができる。したがって、光がＬＥＤから天井を照明するように上方に（ｕｐｗａｒｄ）放出され得る、これによって、浮動型加湿器がムード照明機能（ｍｏｏｄ  ｌｉｇｈｔｉｎｇ  ｆｕｎｃｔｉｏｎ）を有することができる。この場合、キャップ６０は、透明なまたは半透明な物質で形成されてもよい。
【００５４】
また、ケース５０は、ガイド部３０を通過した後、キャップ６０を介して放出される水粒子や蒸気を照明するためのＬＥＤをケースの外面に含むことができ、これによって、美学的効果を増加させることができる。
【００５５】
また、電力は、電力線２１を介して超音波振動器に直接供給することができる。しかし、超音波振動器２０は、充電することができ、すなわち、超音波振動器２０は、超音波振動器２０が作動しない場合、充電し得るように、充電池（図示せず）を含むことができる。
【００５６】
そうでなければ、超音波振動器２０内に充電池を使用せず、水タンク１００の外側からの外部電力を超音波振動器２０に直接無線供給してもよい。
【００５７】
例えば、図６に示されたように、浮動型加湿器は、水タンク１００の底部に配置された無線充電パッド７０を使用することによって加湿化機能を行う場合、無線充電されるように構成され得る。より具体的に、無線充電パッド７０から提供される電磁界に対応するガイド電流が発生し、このガイド電流は、超音波振動器を駆動するように、超音波振動器内の電池（図示せず）を充電するのに使用される。
【００５８】
以下、前述した構造を有する浮動型加湿器の使用状態を説明する。
【００５９】
図５に示されたように、浮動型加湿器の本体が水を含有している水タンク１００内に位置する場合、超音波加湿器は、密封された中空部を有する浮動本体１０に起因して水上に浮動する。次いで、電源を加湿器に接続すれば、超音波振動器２０が作動し始める。
【００６０】
この場合、換気ファン４１が駆動し、気流が発生するので、気流は、ガイド孔３１を介して流れて、超音波振動器２０によって発生する水粒子や蒸気がガイド部３０の上部を介して外側に放出される。噴射量は、制御ユニット８０によって調節することができる。
【００６１】
空気が換気ファン４１の回転に起因してケース５０の表面に形成された空気流入孔５１を介して導入されるにつれて、超音波振動器２０によって発生する水粒子や蒸気を、導入された空気に起因して外側に放出することができる。
【００６２】
水粒子や蒸気は、外側に放出されなくてもよく、ケース５０の内面とガイド部３０の外面上に液滴として形成されてもよい。この場合、液滴は、ケース５０の内面とガイド部３０の外面に沿って傾斜部１２に流れることができ、これによって、液滴は、傾斜部１２の傾斜に起因して水流入孔１１に排水され、水タンク１００内に導入される。
【００６３】
また、本発明の実施形態の浮動型加湿器によれば、浮動型加湿器のすべての構成要素は、互いに容易に分解するかまたは結合することができ、よって、長期間超音波加湿器を使用する場合に発生する粘液や苔を、超音波加湿器を分解することによって容易に洗浄することができる。構成要素を洗浄した後、その構成要素を分解方式とは反対方式で容易に組立てることができる。
【００６４】
本発明を本発明の好ましい実施形態を参照して具体的に図示し説明したが、通常の技術者なら、請求範囲によって定義されるような本発明の思想と範囲を逸脱することなく、本発明の形態と詳細において多様な変更を行うことができることを理解することができる。好ましい実施形態は、説明のためのものに過ぎず、制限的な意味として見なしてはならない。したがって、本発明の範囲は、本発明の詳細な説明ではなく、請求範囲によって定義され、本発明の思想と技術的範囲を逸脱しないすべての変更、等価、及び代替が本発明に含まれるという点を理解されたい。
【符号の説明】
【００６５】
１０  浮動本体
１１  水流入孔
１２  傾斜部
１３  パッキング
１４  突出部
２０  超音波振動器
３０  ガイド部
３１  ガイド孔
４０  放出ユニット
４１  換気ファン
５０  ケース
５１  空気流入孔
６０  キャップ
６１  蒸発孔
７０  無線充電パッド
８０  制御ユニット
１００  水タンク
【図１】
2016522383.tif 000003
【図２】
2016522383.tif 000004
【図３】
2016522383.tif 000005
【図４ａ】
2016522383.tif 000006
【図４ｂ】
2016522383.tif 000007
【図４ｃ】
2016522383.tif 000008
【図５】
2016522383.tif 000009
【図６】
2016522383.tif 000010
【国際調査報告】
2016522383.tif 000011
2016522383.tif 000012